(57)【特許請求の範囲】
【請求項１】
四角形の第１ハンカチ部と、
前記第１ハンカチ部の所定の辺から折り畳み可能に延在する四角形の第２ハンカチ部と、を備えるハンカチであって、
前記第１ハンカチ部の表裏いずれか一方の面に重ねられたシート体の端部を保持するシート体保持部をさらに備え、
前記シート体保持部は、保持している前記シート体の表面を５０％以上露出させることで、保持状態を維持しつつ前記シート体の使用を許容するものであって、前記第１ハンカチ部の４辺から前記第１ハンカチ部のシート体保持面の中心部に向かって延在し、前記第１ハンカチ部の４辺近傍において前記シート体の端部を前記第１ハンカチ部との間で挟持し、
前記シート体保持部の延在幅は、保持している前記シート体の表面が５０％以上露出するように設定されることを特徴とするハンカチ。
【請求項２】
請求項１に記載のハンカチであって、
前記シート体は、薄紙を重ね合わせたティッシュ、吸水性を有する吸水シート、保湿性を有する保湿シート、液体を含浸させた拭取シート、アルコールを含浸させた除菌シート、冷却性を有する冷却シート、加熱性を有する加熱シート、薬剤が塗布又は含浸された薬用シートのいずれかを含むことを特徴とするハンカチ。
【請求項３】
請求項１又は２に記載のハンカチであって、
前記シート体保持部は、
前記シート体の端部を保持する保持姿勢と、外方に展開して前記第１ハンカチ部のシート体保持面から退避する展開姿勢と、に操作可能な複数の保持片と、
前記保持片を前記保持姿勢に係止する係脱可能な係止手段と、を備えることを特徴とするハンカチ。
【請求項４】
請求項３に記載のハンカチであって、
前記保持片は、前記第１ハンカチ部の４辺に設けられ、
前記係止手段は、隣接する前記保持片同士を係止することを特徴とするハンカチ。
【請求項５】
請求項３又は４に記載のハンカチであって、
前記係止手段は、面ファスナ、ホック、又は、ボタンであることを特徴とするハンカチ。
【請求項６】
請求項１〜５のいずれか１項に記載のハンカチであって、
前記シート体の露出部分は、前記第１ハンカチ部及び前記シート体を中央部で谷折り側に折り畳むことにより隠蔽可能であることを特徴とするハンカチ。
【請求項７】
請求項１〜６のいずれか１項に記載のハンカチであって、
前記シート体の露出部分は、前記第２ハンカチ部を前記所定の辺で谷折り側に折り畳むことにより隠蔽可能であることを特徴とするハンカチ。
【請求項８】
請求項１〜７のいずれか１項に記載のハンカチであって、
前記第１ハンカチ部及び前記第２ハンカチ部は、タオル生地で形成されていることを特徴とするハンカチ。
【請求項９】
請求項１〜８のいずれか１項に記載のハンカチであって、
前記シート体保持部は、前記第１ハンカチ部及び前記シート体を中央部で谷折り側又は山折り側に折り畳む際の折畳み線に沿って形成され、前記シート体保持部の折畳みを容易にする易折畳み加工部を備えることを特徴とするハンカチ。
【発明の詳細な説明】
【技術分野】
【０００１】
本発明は、シート体を保持可能なハンカチに関する。
【背景技術】
【０００２】
ティッシュや生理用ナプキンを収納可能なハンカチが提案されている（例えば、特許文献１、２参照）。このようなハンカチによれば、ハンカチをティッシュ入れや生理用ナプキン入れに兼用できるので、外出時における所持品の点数を削減できるという利点がある。
【先行技術文献】
【特許文献】
【０００３】
【特許文献１】特開２０１１−１２６５９３号公報
【特許文献２】実用新案登録第３１５７２７９号公報
【発明の概要】
【発明が解決しようとする課題】
【０００４】
しかしながら、特許文献１のハンカチでは、収納したティッシュを使用する際、ハンカチのティッシュ収納部から必要枚数分のティッシュを１枚ずつ引き出して使用し、その後、使用済みのティッシュを処理する必要があるので、ハンカチに収納したティッシュを使用する際の利便性に改善の余地があった。
【課題を解決するための手段】
【０００５】
本発明は、
四角形の第１ハンカチ部と、
前記第１ハンカチ部の所定の辺から折り畳み可能に延在する四角形の第２ハンカチ部と、を備えるハンカチであって、
前記第１ハンカチ部の表裏いずれか一方の面に重ねられたシート体の端部を保持するシート体保持部をさらに備え、
前記シート体保持部は、保持している前記シート体の表面を５０％以上露出させることで、保持状態を維持しつつ前記シート体の使用を許容するものであって、前記第１ハンカチ部の４辺から前記第１ハンカチ部のシート体保持面の中心部に向かって延在し、前記第１ハンカチ部の４辺近傍において前記シート体の端部を前記第１ハンカチ部との間で挟持し、
前記シート体保持部の延在幅は、保持している前記シート体の表面が５０％以上露出するように設定されることを特徴とする。
【発明の効果】
【０００６】
本発明によれば、シート体入れに兼用可能なハンカチでありながら、保持しているシート体の表面を５０％以上を露出させることで、保持状態を維持しつつシート体の使用を許容するので、シート体をいちいち取り出すことなく迅速に使用でき、その結果、保持したシート体を使用する際の利便性を向上させることができる。
【図面の簡単な説明】
【０００７】
【図１】本発明の第１実施形態に係るハンカチの斜視図である。
【図２】本発明の第１実施形態に係るハンカチのシート体保持状態を示す斜視図である。
【図３】本発明の第１実施形態に係るハンカチのシート体使用例を示す斜視図である。
【図４】本発明の第１実施形態に係るハンカチの第１の折り畳み手順を示す斜視図であり、（ａ）はステップ１を示す斜視図、（ｂ）はステップ２を示す斜視図である。
【図５】本発明の第１実施形態に係るハンカチの第２の折り畳み手順を示す斜視図であり、（ａ）はステップ１を示す斜視図、（ｂ）はステップ２を示す斜視図である。
【図６】本発明の第２実施形態に係るハンカチの斜視図である。
【図７】本発明の第２実施形態に係るハンカチのシート体保持状態を示す斜視図である。
【図８】本発明の第２実施形態に係るハンカチのシート体保持手順を示す斜視図であり、（ａ）はステップ１を示す平面図、（ｂ）はステップ２を示す平面図、（ｃ）はステップ３を示す平面図、（ｄ）はステップ４を示す平面図である。
【発明を実施するための形態】
【０００８】
［第１実施形態］
以下、本発明の実施の形態について、図面に基づいて説明する。図１〜図５に示すように、本実施形態のハンカチ１は、四角形の第１ハンカチ部２と、第１ハンカチ部２の所定の辺２ａから折り畳み可能に延在する四角形の第２ハンカチ部３と、を備える。なお、本実施形態のハンカチ１は、タオル生地で形成されるハンカチタオルであり、所定の辺２ａに限らず、任意の位置で折り畳むことができる。
【０００９】
また、本実施形態のハンカチ１は、全体として略正方形であって、長方形の第１ハンカチ部２及び第２ハンカチ部３の長辺同士が連結された形状であるが、ハンカチ１の全体形状は、正方形に限定されるものではなく、長方形であってもよいし、その他の形状であってもよい。
【００１０】
ハンカチ１は、第１ハンカチ部２の表裏いずれか一方の面をシート体保持面２ｂとし、該シート体保持面２ｂに重ねられたシート体１０の端部を保持するシート体保持部４を備える。なお、図面では、シート体１０の表面にハッチングを入れることにより、シート体１０の保持状態を明確にしている。
【００１１】
シート体１０としては、薄紙を重ね合わせたティッシュ、吸水性を有する吸水シート、保湿性を有する保湿シート、液体を含浸させた拭取シート、アルコールを含浸させた除菌シート、冷却性を有する冷却シート、加熱性を有する加熱シート、薬剤が塗布又は含浸された薬用シートなどを想定しているが、その他のシートであってもよい。
【００１２】
本実施形態のシート体保持部４は、第１ハンカチ部２の４辺からシート体保持面２ｂの中心部に向かって延在し、第１ハンカチ部２の４辺近傍においてシート体１０の端部を第１ハンカチ部２との間で挟持する。シート体保持部４の延在幅Ｗは、保持しているシート体１０の表面が５０％以上露出するように設定される。このようなシート体保持部４を備えるハンカチ１によれば、保持状態を維持しつつシート体１０の使用を許容できるので、シート体１０をいちいち取り出すことなく迅速に使用でき、その結果、保持したシート体１０を使用する際の利便性を向上させることができる。なお、保持しているシート体１０の表面を５０％以上露出させる理由は、５０％未満の露出だとシート体１０を使いづらいだけでなく、シート体１０の使用効率が低下するからである。
【００１３】
図３は、シート体１０としてティッシュを保持したハンカチ１のシート体使用例を示す斜視図である。この図に示すように、ハンカチ１で保持されたティッシュで鼻をかむ場合は、第２ハンカチ部３を所定の辺２ａで山折り側に折り畳んで第１ハンカチ部２の裏面側に重ねた後、露出したティッシュの中心部に鼻尖部Ｎａを当て、左右からティッシュで鼻翼部Ｎｂを挟みつつ鼻をかむ。
【００１４】
このような使用例によれば、ハンカチ１からティッシュを取り出すことなく鼻をかめるので、鼻をかむ頻度が高い花粉症患者などの利便性を向上させることができる。なお、鼻をかんで汚れた使用済みのティッシュは、直ちにハンカチ１から取り出して処分してもよいし、しばらくの間は保持状態を維持し、ゴミ箱が見つかったタイミングで処分してもよいし、再度使用してもよい。なお、保持するティッシュのサイズや枚数は任意である。
【００１５】
図４に示すように、シート体１０の露出部分は、第１ハンカチ部２及びシート体１０を中央部で谷折り側に折り畳むことにより隠蔽できる。このような折り畳み手順によれば、シート体１０の露出面同士が重なるので、例えば、使用によって汚れたシート体１０が第２ハンカチ部３に接触することを回避できる。
【００１６】
また、図５に示すように、シート体１０の露出部分は、第２ハンカチ部３を所定の辺２ａで谷折り側に折り畳むことにより、第２ハンカチ部３で隠蔽するようにしてもよい。このような折り畳み手順によれば、シート体１０の露出面同士を接触させないので、粘着性を有するシート体１０を保持する場合などに有用である。
【００１７】
また、図１、図２及び図４に示すように、シート体保持部４は、第１ハンカチ部２及びシート体１０を中央部で谷折り側又は山折り側に折り畳む際の折畳み線に沿って形成され、シート体保持部４の折畳みを容易にする易折畳み加工部４ａを備える。易折畳み加工部４ａは、例えば、シート体保持部４が分断されないように折畳み線に沿って切込みを入れる加工や、シート体保持部４を折畳み線に沿って分断した後、分断部を糸や薄いシート材で連結する加工によって形成することができる。このような易折畳み加工部４ａによれば、ハンカチ１の折畳みが容易になるだけでなく、折畳み部分の厚みを抑制することができる。
【００１８】
叙述の如く構成された本実施形態によれば、四角形の第１ハンカチ部２と、第１ハンカチ部２の所定の辺２ａから折り畳み可能に延在する四角形の第２ハンカチ部３と、を備えるハンカチ１であって、第１ハンカチ部２の表裏いずれか一方の面２ｂに重ねられたシート体１０の端部を保持するシート体保持部４をさらに備え、シート体保持部４は、保持しているシート体１０の表面を５０％以上を露出させることで、保持状態を維持しつつシート体１０の使用を許容するので、シート体１０をいちいち取り出すことなく迅速に使用でき、その結果、保持したシート体１０を使用する際の利便性を向上させることができる。
【００１９】
また、シート体１０は、薄紙を重ね合わせたティッシュ、吸水性を有する吸水シート、保湿性を有する保湿シート、液体を含浸させた拭取シート、アルコールを含浸させた除菌シート、冷却性を有する冷却シート、加熱性を有する加熱シート、薬剤が塗布又は含浸された薬用シートのいずれかを含むので、保持するシート体１０の選択に基づいてハンカチ１の機能を拡張させることができる。
【００２０】
また、シート体１０の露出部分は、第１ハンカチ部２及びシート体１０を中央部で谷折り側に折り畳むことにより隠蔽可能なので、シート体１０を使用しないときは、シート体１０の露出部分を衛生的に保護できる。
【００２１】
また、シート体１０の露出部分は、第２ハンカチ部３を所定の辺２ａで谷折り側に折り畳むことにより隠蔽可能なので、シート体１０を使用しないときは、シート体１０の露出部分を衛生的に保護できる。
【００２２】
また、第１ハンカチ部２及び第２ハンカチ部３は、タオル生地で形成されているので、本発明のハンカチ１を吸水性の高いハンカチタオルとして実施することができる。
【００２３】
また、シート体保持部４は、第１ハンカチ部２及びシート体１０を中央部で谷折り側又は山折り側に折り畳む際の折畳み線に沿って形成され、シート体保持部４の折畳みを容易にする易折畳み加工部４ａを備えるので、ハンカチ１の折畳みが容易になるだけでなく、折畳み部分の厚みを抑制することができる。
【００２４】
［第２実施形態］
つぎに、第２実施形態のハンカチ１について、図６〜図８を参照して説明する。なお、第１実施形態と共通の構成については、第１実施形態と同じ符号を用いることで、第１実施形態の説明を援用する場合がある。
【００２５】
図６〜図８に示すように、第２実施形態のハンカチ１は、シート体保持部４が、シート体１０の端部を保持する保持姿勢と、外方に展開して第１ハンカチ部２のシート体保持面２ｂから退避する展開姿勢と、に操作可能な複数の保持片５と、保持片５を保持姿勢に係止する係脱可能な係止手段６と、を備える点が第１実施形態のハンカチ１と相違している。このような第２実施形態のハンカチ１によれば、シート体１０を保持する際の作業や、シート体１０を取外す際の作業が容易になる。
【００２６】
具体的に説明すると、保持片５は、第１ハンカチ部２の４辺に設けられ、係止手段６は、隣接する保持片５同士を係脱可能に係止するようになっている。このようにすると、シート体１０の４辺を確実に保持できるだけでなく、保持片５の保持姿勢を確実に維持することができる。
【００２７】
係止手段６としては、面ファスナ、ホック、ボタン７などを用いることができ、図６〜図８では、係止手段６としてボタン７を用いたハンカチ１を示している。このようにすると、係止手段６を安価に構成できるだけでなく、既知の操作で保持片５を容易に係脱させることができる。
【００２８】
図８は、第２実施形態のハンカチ１のシート体保持手順を示す平面図であり、（ａ）はステップ１を示す平面図、（ｂ）はステップ２を示す平面図、（ｃ）はステップ３を示す平面図、（ｄ）はステップ４を示す平面図である。
【００２９】
第２実施形態のハンカチ１にシート体１０を保持させる場合は、まず、４つの保持片５を第１ハンカチ部２のシート体保持面２ｂから退避する展開姿勢とする（図８の（ａ）参照）。つぎに、第１ハンカチ部２のシート体保持面２ｂにシート体１０を重ねる（図８の（ｂ）参照）。つぎに、４つの保持片５にうち、両端部にボタン７が付けられた一対の保持片５（本実施形態では第１ハンカチ部２の短辺に設けられた保持片５）を保持姿勢にしてシート体１０の表面端部に重ねる（図８の（ｃ）参照）。つぎに、両端部にボタン穴８が形成された一対の保持片５（本実施形態では第１ハンカチ部２の長辺に設けられた保持片５）を保持姿勢にしてシート体１０の表面端部に重ねるとともに、ボタン７をボタン穴８に掛けて隣接する保持片５同士を係止させる（図８の（ｄ）参照）。なお、保持したシート体１０を取り出す場合は、逆の手順により容易に取り出すことができる。
【００３０】
なお、本発明は前記実施形態に限定されるものではなく、特許請求の範囲に記載された本発明の要旨の範囲内において、種々の変形、変更が可能である。例えば、前記実施形態のシート体保持部は、シート体の４辺においてシート体の端部を保持しているが、シート体の対向する２辺においてシート体の端部を保持するようにしてもよいし、シート体の４隅を保持するようにしてもよい。また、液体を含浸させたシート体を保持するハンカチでは、ハンカチのシート体接触部分に防水加工を施したり、防水フィルムなどの防水層を設けることができる。
【符号の説明】
【００３１】
１  ハンカチ
２  第１ハンカチ部
２ａ  所定の辺
２ｂ  シート体保持面
３  第２ハンカチ部
４  シート体保持部
４ａ  易折畳み加工部
５  保持片
６  係止手段
７  ボタン
８  ボタン穴
１０  シート体
【要約】
【課題】保持したシート体を使用する際の利便性を向上させることができるハンカチを提供する。
【解決手段】四角形の第１ハンカチ部２と、第１ハンカチ部２の所定の辺２ａから折り畳み可能に延在する四角形の第２ハンカチ部３と、を備えるハンカチ１であって、第１ハンカチ部２の表裏いずれか一方の面２ｂに重ねられたシート体１０の端部を保持するシート体保持部４をさらに備え、シート体保持部４は、保持しているシート体１０の表面を５０％以上を露出させることで、保持状態を維持しつつシート体１０の使用を許容する。
【選択図】図２【図１】
0006815053.tif 000002
【図２】
0006815053.tif 000003
【図３】
0006815053.tif 000004
【図４】
0006815053.tif 000005
【図５】
0006815053.tif 000006
【図６】
0006815053.tif 000007
【図７】
0006815053.tif 000008
【図８】
0006815053.tif 000009